(57)【要約】【課題】多数の受信装置が設置される施設内で、視聴制限されたデジタル放送を任意に視聴する登録情報をＢ−ＣＡＳカードに記憶する作業を安価で効率的に実行する。【解決手段】施設構内に設置され、不特定多数のユーザに使用される、視聴制限をかけられた放送の契約情報等を記憶可能なＢ−ＣＡＳカードを装着した複数のデジタル放送受信装置8，8，…と、客室GR，GR，…の利用状況を管理するホストコンピュータ５と、ホストコンピュータ５から客室GR，GR，…の利用状況を取得し、その利用状況に応じてデジタル放送受信装置8，8，…に対してデジタル放送の受信による契約情報等のＢ−ＣＡＳカードへの記憶設定を指示するフロントコンピュータ４とを備える。【選択図】      図１
2005210486.tif 000002
【特許請求の範囲】
【請求項１】
施設構内に設置され、不特定多数のユーザに使用される、視聴制限をかけられた放送の解除情報を記憶可能な記憶媒体、及びデジタル放送の受信により得られる上記解除情報を上記記憶媒体に記憶させるための設定手段を有した複数のデジタル放送受信装置と、
これら複数のデジタル放送受信装置それぞれが設置された位置の利用状況を管理する第１の構内管理装置と、
この第１の構内管理装置から複数のデジタル放送受信装置それぞれが設置された位置の利用状況を取得する利用状況取得手段、及びこの利用状況取得手段で得た個々のデジタル放送受信装置の利用状況に応じて上記複数のデジタル放送受信装置に対してデジタル放送の受信による上記解除情報の記憶媒体への記憶設定を指示する指示手段を有した第２の構内管理装置と
を備えたことを特徴とするデジタル放送受信システム。
【請求項２】
上記第２の構内管理装置は、予め設定された時間帯に上記指示手段により上記複数のデジタル放送受信装置にデジタル放送の受信による上記解除情報の記憶媒体への記憶設定を指示することを特徴とする請求項１記載のデジタル放送受信システム。
【請求項３】
上記施設は旅客の宿泊施設であり、
上記第１の構内管理装置は、複数のデジタル放送受信装置それぞれが設置された客室のチェックイン及びチェックアウトの状態を利用状況として管理し、
上記第２の構内管理装置は、チェックアウトの状態にある客室に設置されたデジタル放送受信装置に対してデジタル放送の受信による上記解除情報の記憶媒体への記憶設定を指示する
ことを特徴とする請求項１記載のデジタル放送受信システム。
【請求項４】
施設構内に設置され、不特定多数のユーザに使用されるデジタル放送受信装置であって、
視聴制限をかけられた放送の解除情報を記憶可能な記憶媒体と、
デジタル放送の受信による上記解除情報の記憶媒体への記憶設定を指示する指示手段と、
この指示手段に対応してデジタル放送の受信により得られる上記解除情報を上記記憶媒体に記憶させる設定手段と
を具備したことを特徴とするデジタル放送受信装置。
【請求項５】
カード状媒体の挿入により当該カード状媒体に記憶されている情報の読取りを少なくとも実行できるカード媒体読取手段をさらに具備し、
上記指示手段は、上記カード媒体読取手段に挿入されたカード状媒体から少なくとも放送事業者の番組選局情報、選局時間情報、及び動作期間情報を読取ることで上記解除情報の記憶媒体への記憶設定を指示する
ことを特徴とする請求項４記載のデジタル放送受信装置。
【発明の詳細な説明】
【技術分野】
【０００１】
本発明は、ホテルや旅館等の宿泊施設、あるいは病院施設等で、不特定多数の利用者が視聴制限のかけられたデジタル放送を視聴するデジタル放送受信システム及びデジタル放送受信装置に関する。
【背景技術】
【０００２】
ＢＳデジタル放送、１１０°ＣＳデジタル放送及び地上波デジタル放送を受信する衛星デジタル放送対応のテレビ受像機やチューナ装置では、ＣＡＳ（Ｃｏｎｄｉｔｉｏｎａｌ  Ａｃｃｅｓｓ  Ｓｙｓｔｅｍ）と呼称される、視聴制御システムの機能が予め内蔵されており、所定の業者（（株）ビーエス・コンディショナルアクセスシステムズ）との契約を行なうことで、当該業者が発行及び管理する専用のＩＣカード（以下「Ｂ−ＣＡＳカード」と称する）を装置の所定のカードスロットに挿入すると、無料放送やデータ放送による双方向サービスを始めとする番組の視聴、利用、コピー制御を可能としている。
【０００３】
さらに、別途放送事業者との契約を行なうことで、ペイ・パー・ビューを含む有料放送等も視聴可能となる。
【０００４】
上記Ｂ−ＣＡＳカードに係るユーザ登録は、テレビ受像機やチューナ装置などの製品購入時に装置に該Ｂ−ＣＡＳカードと共に添付されている登録用のはがきを上記所定の業者に送付するか、上記所定の業者がインターネット上に開設するウェブサイトでＢ−ＣＡＳカードの裏面に記載された２０桁からなるＩＤ番号（以下「カードＩＤ」と称する）等の所定事項を記入することで登録が実行される。
【０００５】
有料番組の視聴に対しては、製品購入時に装置に添付されている各放送事業者の加入申込書、電話、または各放送事業者がインターネット上に開設するウェブサイトで、上記カードＩＤ等の所定事項を記入あるいは通知して契約を行なうことで、視聴が可能となる。
【０００６】
この点をより詳細に説明すると、当該放送事業者が契約を受付けた後、ユーザが上記テレビ受像機またはチューナ装置で契約した放送事業者の番組に合わせて待機すると、早ければ数十分の内に当該事業者から送信されるトランスポートストリーム（ＴＳ）を受信し、受信したトランスポートストリームに対してデマルチプレクサでその中に多重化されている映像等の情報と個別情報のＥＭＭ（Ｅｎｔｉｔｌｅｍｅｎｔ  Ｍａｎａｇｅｍｅｎｔ  Ｍｅｓｓａｇｅ）情報と番組情報、制御情報のＥＣＭ（Ｅｎｔｉｔｌｅｍｅｎｔ  Ｃｏｎｔｒｏｌ  Ｍｅｓｓａｇｅ）情報に分離する。
【０００７】
上記分離したＥＭＭ情報をデコードした上で契約情報を上記Ｂ−ＣＡＳカードに記憶させ、またスクランブルされたＥＣＭ情報をデコードし、映像等の情報のデスクランブル処理を実行することで、契約した有料番組を視聴することが可能となる。
【０００８】
また、日本放送協会（以下「ＮＨＫ」と称する）が提供する衛星デジタル放送では、衛星デジタル放送を受信することが可能な装置を設置したユーザに対してその設置の旨を連絡するよう促す文字メッセージを当該受信機の画面中にスーパーインポーズして表示させ。実際にカードＩＤなどの所定事項を連絡すると、上記文字メッセージを消去するための情報を上述した如く番組データに重畳して送信し、これを受信して当該Ｂ−ＣＡＳカードに記憶することで、以後文字メッセージが画面上から消去されるようになる。
【０００９】
このＢ−ＣＡＳカードに関する技術が、以下の特許文献に詳述されている。（例えば、特許文献１）
【特許文献１】特開平０４−１３８７３５号公報
【発明の開示】
【発明が解決しようとする課題】
【００１０】
ホテルや旅館などの宿泊施設、あるいは病院施設等の不特定多数のユーザが見込まれる施設内では、上述したようなデジタル放送の受信装置を導入するに際して、客室や病床毎に設置する個々の受信装置毎に、必要なチャンネル分だけ、有料放送の契約情報や上記ＮＨＫの文字メッセージを消去するための情報をＢ−ＣＡＳカードに記憶させる必要がある。
【００１１】
しかるに、１台のデジタル放送の受信装置でも、有料放送の契約を行なった１つの放送事業者の番組やＮＨＫを選局してから実際に契約情報が放送番組に重畳して送信されてきて、Ｂ−ＣＡＳカードに記憶させて登録を完了するまでに少なくとも数十分程度の時間を費やさなければならない。
【００１２】
そのため、規模の大きな施設に設置する多数のデジタル放送の受信装置毎に、複数の有料放送やＮＨＫを受信可能とするべく１番組あるいは１チャンネルずつＢ−ＣＡＳカードを用いた登録作業を行なうためには、きわめて膨大な時間と手間とが必要となり、人的なコストも勘案すると現実的ではない。
【００１３】
本発明は上記のような実情に鑑みてなされたもので、その目的とするところは、不特定多数のユーザが利用する、多数のデジタル放送受信装置が設置される施設内で、視聴制限がかけられたデジタル放送を任意に視聴するための登録情報をＢ−ＣＡＳカードに記憶する作業を安価で効率的に実行することが可能なデジタル放送受信システム及びデジタル放送受信装置を提供することにある。
【課題を解決するための手段】
【００１４】
請求項１記載の発明は、施設構内に設置され、不特定多数のユーザに使用される、視聴制限をかけられた放送の解除情報を記憶可能な記憶媒体、及びデジタル放送の受信により得られる上記解除情報を上記記憶媒体に記憶させるための設定手段を有した複数のデジタル放送受信装置と、これら複数のデジタル放送受信装置それぞれが設置された位置の利用状況を管理する第１の構内管理装置と、この第１の構内管理装置から複数のデジタル放送受信装置それぞれが設置された位置の利用状況を取得する利用状況取得手段、及びこの利用状況取得手段で得た個々のデジタル放送受信装置の利用状況に応じて上記複数のデジタル放送受信装置に対してデジタル放送の受信による上記解除情報の記憶媒体への記憶設定を指示する指示手段を有した第２の構内管理装置とを備えたことを特徴とする。
【００１５】
請求項２記載の発明は、上記請求項１記載の発明において、上記第２の構内管理装置は、予め設定された時間帯に上記指示手段により上記複数のデジタル放送受信装置にデジタル放送の受信による上記解除情報の記憶媒体への記憶設定を指示することを特徴とする。
【００１６】
請求項３記載の発明は、上記請求項１記載の発明において、上記施設は旅客の宿泊施設であり、上記第１の構内管理装置は、複数のデジタル放送受信装置それぞれが設置された客室のチェックイン及びチェックアウトの状態を利用状況として管理し、上記第２の構内管理装置は、チェックアウトの状態にある客室に設置されたデジタル放送受信装置に対してデジタル放送の受信による上記解除情報の記憶媒体への記憶設定を指示することを特徴とする。
【００１７】
請求項４記載の発明は、施設構内に設置され、不特定多数のユーザに使用されるデジタル放送受信装置であって、視聴制限をかけられた放送の解除情報を記憶可能な記憶媒体と、デジタル放送の受信による上記解除情報の記憶媒体への記憶設定を指示する指示手段と、この指示手段に対応してデジタル放送の受信により得られる上記解除情報を上記記憶媒体に記憶させる設定手段とを具備したことを特徴とする。
【００１８】
請求項５記載の発明は、上記請求項４記載の発明において、カード状媒体の挿入により当該カード状媒体に記憶されている情報の読取りを少なくとも実行できるカード媒体読取手段をさらに具備し、上記指示手段は、上記カード媒体読取手段に挿入されたカード状媒体から少なくとも放送事業者の番組選局情報、選局時間情報、及び動作期間情報を読取ることで上記解除情報の記憶媒体への記憶設定を指示することを特徴とする。
【発明の効果】
【００１９】
請求項１記載の発明によれば、不特定多数のユーザが利用する、多数のデジタル放送受信装置が設置される施設内で、視聴制限がかけられたデジタル放送を任意に視聴するための登録情報をＢ−ＣＡＳカードに代表される記憶媒体に記憶させるための作業を、各デジタル放送受信装置の利用状況を勘案した上で第２の構内管理装置の自動制御に基づいて効率的に実行させることが可能となり、人的なコストを最小限に抑えることができる。
【００２０】
請求項２記載の発明によれば、上記請求項１記載の発明の効果に加えて、各デジタル放送受信装置の稼働時間帯等を考慮した上で上記解除情報の記憶媒体への記憶設定を指示することで、より新しいデジタル放送の受信環境をユーザに提供できる。
【００２１】
請求項３記載の発明によれば、上記請求項１記載の発明の効果に加えて、特にホテルや旅館等の旅客施設において、ユーザである宿泊客等に一切の迷惑をかけることなく新たなデジタル放送の受信環境を設定することができる。
【００２２】
請求項４記載の発明によれば、不特定多数のユーザが利用する、多数のデジタル放送受信装置が設置される施設内で、視聴制限がかけられたデジタル放送を任意に視聴するための登録情報をＢ−ＣＡＳカードに代表される記憶媒体に記憶させるための作業を、各装置端末単位で自動化して効率的に実行させることが可能となり、人的なコストをきわめて低く抑えることができる。
【００２３】
請求項５記載の発明によれば、上記請求項４記載の発明に効果に加えて、一般のユーザが挿入するプリペイドカードに代えて設定動作用のカードを挿入するのみで契約情報等の設定動作を指示することができ、設定のための操作をより簡易化できる。
【発明を実施するための最良の形態】
【００２４】
（第１の実施の形態）  
以下本発明を例えばホテル施設館内に設置したデジタル放送受信装置を含むデジタル放送受信システムに適用した場合の第１の実施の形態について図面を参照して説明する。
【００２５】
図１は、ホテル館内の該デジタル放送受信システム全体の構成を示すものである。同図で、ＢＳ・ＣＳ放送アンテナ１で受信し、図示しないコンバータで周波数変換した中間周波信号と、地上波デジタル放送アンテナ２で受信した信号とが混合器３で同一周波数軸上に配列されて混合された後に、混合器６に送られる。
【００２６】
この混合器６にはまた、フロントコンピュータ４からの双方向通信データ回線ＢＴが接続されている。フロントコンピュータ４は、このホテルの業務全般を管理するホストコンピュータ５とも接続され、各客室ＧＲ毎のチェックイン／チェックアウトの情報を取得できるものとなっている。
【００２７】
しかるに、混合器６での混合信号がこのシステムの配信網を構成する同軸伝送ライン７を通じて、ホテル館内の各客室ＧＲ内に配置されたデジタル放送受信装置８まで伝送される。
【００２８】
デジタル放送受信装置８は、リモコンパッド１０での操作に対応した選局動作を実行し、モニタ装置９で画像及び音声を再生出力させる。
【００２９】
次に図２により上記客室ＧＲ内のデジタル放送受信装置８の詳細な回路構成について説明する。図中、同軸伝送ライン７から送られてきた信号は分波器１１でＢＳ・１１０°ＣＳ放送の中間周波信号と、地上波デジタル放送の受信信号とに分波され、デジタル放送受信部１２内の図示しないＢＳ・１１０°ＣＳデジタルチューナ及び地上波デジタルチューナに送られる。
【００３０】
デジタル放送受信部１２では、後述する制御部１７からの信号に基づいて、上記リモコンパッド１０での選局操作に対応したチャンネルを上記ＢＳ・１１０°ＣＳデジタルチューナまたは地上波デジタルチューナで選局し、該当するチャンネルのトランスポートストリーム（ＴＳ）を復調して出力する。
【００３１】
しかるにこのデジタル放送受信部１２内では、復調したトランスポートストリームに対し、デマルチプレクサで多重化されている映像等の情報と、個別情報のＥＭＭ情報と番組情報、制御情報のＥＣＭ情報に分離する。
【００３２】
上記分離したＥＭＭ情報をデコードして契約情報を取得し、その取得した契約情報をＣＡＳカードスロット１５に挿入される図示しないＢ−ＣＡＳカードに記憶させ、またスクランブルがかけられているＥＣＭ情報をデコードすることで、映像等の情報のデスクランブル制御を行ない、デジタル放送受信部１２内で時間的に連続した映像データとステレオ音声データとを生成し、生成した映像データを映像出力端子１３より、音声データを音声出力端子１４よりそれぞれ出力する。
【００３３】
これら映像出力端子１３及び音声出力端子１４は、このデジタル放送受信装置８と共に客室内に設置された、上記モニタ装置９のビデオ入力端子、音声入力端子に接続され、このモニタ装置９で映像と音声が再生出力されることで、客室ＧＲのユーザ（宿泊客等）がデジタル放送を視聴可能となる。
【００３４】
このデジタル放送受信装置８は、上述した如くＣＡＳカードスロット１５を備え、Ｂ−ＣＡＳカードを挿入することでホテル管理側が設定したデジタル放送の番組、チャンネルを視聴可能となるものであるが、該ユーザがＢ−ＣＡＳカードを容易に抜き出すことができないように、ＣＡＳカードスロット１５はデジタル放送受信装置８の外面には一切露出せず、内蔵するものとしている。
【００３５】
なお、このＢ−ＣＡＳカードには固有のマスタ鍵（Ｋｍ）が予め記憶されており、有料番組の新規契約時または契約更新時や、ＮＨＫの上記文字メッセージを消去するための情報を取得した場合に該マスタ鍵の一致を確認した上でそれら契約情報等を記憶するものとなる。
【００３６】
さらにデジタル放送受信装置８には電話回線接続端子１６が接続される。この電話回線接続端子１６は、デジタル放送受信部１２内の図示しないモデムと接続されるもので、デジタル放送受信部１２内の制御に基づいて、データ放送の双方向サービスを行なう場合などにリクエスト情報等を図示しない電話回線を介して発信することも可能となっている。
【００３７】
制御部１７は、ＣＰＵとこのＣＰＵの動作プログラム等を不揮発的に記憶したＲＯＭ、及びワークメモリとして動作するＲＡＭ等から構成され、上記デジタル放送受信部１２と高周波モデム１８、及びリモコン受光部１９と接続されて、このデジタル放送受信装置８全体の制御動作を実行する。
【００３８】
この制御部１７の上記ＲＯＭ内には、このデジタル放送受信装置８の固有のアドレス番号が記憶されており、このアドレス番号によりフロントコンピュータ４が他の客室ＧＲのデジタル放送受信装置８と識別することが可能となっている。
【００３９】
高周波モデム１８は、上記同軸伝送ライン７、双方向通信データ回線ＢＴを介して接続されるフロントコンピュータ４と、高周波ＦＳＫ変調で上り／下りの両データ通信による双方向通信機能を実現するもので、フロントコンピュータ４からの下りデータ通信で当該デジタル放送受信装置８に対する視聴制限等の制御情報、各種設定情報を受信し、フロントコンピュータ４への上りデータ通信で有料番組を視聴した課金情報や応答情報等を送信する。
【００４０】
リモコン受光部１９は、上記リモコンパッド１０でのキー操作に対応した赤外線変調信号を受信、復調してその操作内容を上記制御部１７へ送出する。
【００４１】
次に上記実施の形態の動作について説明する。  
上記デジタル放送受信システムを導入する場合、ホテルの管理者は所望の有料番組を適宜選択し、番組の放送事業者に加入契約を申し込む。これを受付けた放送事業者は番組に契約情報を多重して一定期間、または定期的に放送を行なうことになる。
【００４２】
加えて各客室ＧＲ内のデジタル放送受信装置８においては、予めＣＡＳカードスロット１５にＢ−ＣＡＳカードが挿入された状態となっており、上述した如くこのＣＡＳカードスロット１５はデジタル放送受信装置８の外面には露出していないので、客室ＧＲのユーザが容易に抜き出すようなことはできないようにされている。
【００４３】
また、上記複数のデジタル放送受信装置８，８，‥‥は、いずれもその客室ＧＲの番号に対応したアドレス番号を制御部１７内のＲＯＭに固定的に記憶しており、フロントコンピュータ４は全室の上記客室番号に対応したアドレス番号をテーブルとして記憶しており、通常はポーリング処理により各デジタル放送受信装置８と個別に通信する。
【００４４】
まず図３により、フロントコンピュータ４が複数のデジタル放送受信装置８，８，‥‥に対して実行する、契約情報の受信と受信した契約情報を含むＢ−ＣＡＳカードへの記憶に要する処理内容を説明する。
【００４５】
その当初には、有料番組とＮＨＫの選局情報、番組の選局動作時間情報、及び動作期間情報の各データを入力設定する（ステップＡ０１）。
【００４６】
具体的には、例えばＢＳデジタル放送の有料番組１と同じくＢＳデジタル放送の有料番組２の視聴、及びＮＨＫ視聴時の文字メッセージの消去を選局情報として設定し、選局動作時間を１５分、動作期間情報を構成する動作開始時刻及び動作終了時刻を月・日・時・分でそれぞれ設定するものとする。
【００４７】
フロントコンピュータ４は、上記ステップＡ０１で設定した動作開始時刻の月・日・時・分となったか否かを繰返し判断することでその時刻となるまで待機し（ステップＡ０２）、なったと判断した時点でホストコンピュータ５からすべての客室ＧＲ，ＧＲ，‥‥のチェックイン／チェックアウトの利用状況を取得する（ステップＡ０３）。
【００４８】
次いで、取得した利用状況によりチェックアウトの状態の客室ＧＲ，ＧＲ，‥‥があるか否かを判断し（ステップＡ０４）、ない場合には引き続きステップＡ０３からの処理を繰返し実行して、チェックアウトの状態にある客室ＧＲ，ＧＲ，‥‥が現出するのを待機する。
【００４９】
しかして、ステップＡ０４でチェックアウトの状態にある客室ＧＲが少なくとも１つあると判断した場合には、その客室ＧＲ１つを選択し、客室番号とデジタル放送受信装置８のアドレス番号を含むテーブルの利用状況の項目の欄をチェックアウトとなっているものとして更新記憶する（ステップＡ０５）。
【００５０】
図５は、このフロントコンピュータ４が記憶するテーブルＴＢの内容を例示するもので、「客室番号」「利用状況」「受信装置アドレス」及び「受信完了」の各項目について客室毎に記憶している状態を示す。ここでは「利用状況」の項目に（チェック）アウトまたは（チェック）インのいずれかの情報が記憶されているが、この項目は当初は空欄となっている。
【００５１】
テーブルＴＢの更新記憶を行なった後、受信装置アドレスの内容に基づいてその客室ＧＲの対応するデジタル放送受信装置８に対し、上記ステップＡ０１で入力した各設定情報と動作フラグのデータを動作開始を示す「１」に更新し、ポーリングにて送信を行なう（ステップＡ０６）。
【００５２】
その後、当該デジタル放送受信装置８から契約情報の受信動作が完了したことを示す通知が送られてきたか否か判断する（ステップＡ０７）。
【００５３】
ここで、当該デジタル放送受信装置８で受信動作が完了しておらず、通知が受信されなかった場合には、動作時刻が完了していないことを確認した上で（ステップＡ０８）、契約情報の受信動作が未完了の客室ＧＲのデジタル放送受信装置８に対する設定動作を続行するべく再び上記ステップＡ０３からの処理に戻る。
【００５４】
また、ステップＡ０７で当該デジタル放送受信装置８での受信動作が完了した旨を示す通知を受信したと判断すると、記憶しているテーブルＴＢ中のその客室に対応する「受信完了」の欄を更新記憶した上で（ステップＡ０９）、全客室ＧＲ，ＧＲ，‥‥の契約情報の受信動作が完了したか否かを判断し（ステップＡ１０）、完了していなければ他の客室ＧＲのデジタル放送受信装置８に対する同様の動作を続行するべく再び上記ステップＡ０３からの処理に戻る。
【００５５】
図６は、このときフロントコンピュータ４が記憶するテーブルＴＢの内容を例示するもので、上記図５に示した状態に比較して、「受信完了」の項目で契約情報の受信動作が完了した客室にはその旨を示す「ＯＫ」が記憶されていることを示す。
【００５６】
しかして、上記ステップＡ０８で契約情報の受信動作を終了される時刻となったと判断した場合、あるいは上記ステップＡ１０で全客室ＧＲ，ＧＲ，‥‥の契約情報の受信動作が完了したと判断した場合には、上記動作フラグを「０」として全デジタル放送受信装置８，８，‥‥に送信を行ない、以上でこの図３の処理を終了する。
【００５７】
次いで図４により各客室ＧＲのデジタル放送受信装置８側で主として制御部１７の制御により実行される契約情報の受信と受信した契約情報を含むＢ−ＣＡＳカードへの記憶に要する動作の内容について説明する。
【００５８】
その当初には、上記高周波モデム１８で復調された下りデータ通信の情報を制御部１７で解析し、契約情報の受信動作を設定するデータ及び動作開始フラグ「１」であるか否かを判断する（ステップＢ０１）。
【００５９】
ここで受信した内容が契約情報の受信動作を設定するデータ及び動作開始フラグ「１」であると判断すると、所定の設定プログラムを起動して、読込んだデータのセットを行ない、動作を開始する（ステップＢ０２）。
【００６０】
続いてデジタル放送受信装置８の電源をオンさせる（ステップＢ０３）。このとき、通常であればデジタル放送受信装置８と連動してモニタ装置９の電源もオンされるが、この契約情報の受信動作時にはデジタル放送受信装置８のみその電源をオンするものとして制御部１７が制御する。
【００６１】
このデジタル放送受信装置８の電源をオンにしたことにより、契約した放送事業者の有料番組１の選局情報をデジタル放送受信部１２に伝送し、デジタル放送受信部１２内のＢＳ・１１０°ＣＳデジタルチューナで当該放送を選局して受信し、デコードしたトランスポートストリームからデマルチプレクサで多重化されている映像等の情報とＥＭＭ情報とＥＣＭ情報に分離する（ステップＢ０４）。
【００６２】
そして、分離したＥＭＭ情報を、ＣＡＳカードスロット１５に挿入されているＢ−ＣＡＳカードに記憶された固有のマスタ鍵を用いてデコードするもので、正しくデコードできたか否かにより、契約情報の受信動作を完了できるか否かを判断する（ステップＢ０５）。
【００６３】
ここで、正しくデコードできた場合には、その契約情報を上記Ｂ−ＣＡＳカードに記憶させると共に、スクランブルされているＥＣＭ情報をデコードし、映像等の情報のデスクランブル制御を行なうことで、契約した番組の視聴が可能となり、契約情報の受信動作を完了する。
【００６４】
一方、上記ステップＢ０５で正しくデコードできず、契約情報の受信動作が完了することができないと判断した場合には、当該動作を繰返し１５分間連続して実行していないことを確認した上で（ステップＢ０６）、再び上記ステップＢ０５からの処理に戻る。
【００６５】
しかして、上記ステップＢ０５で正しくデコードできたと判断し、契約した番組の視聴が可能となり、契約情報の受信動作を完了した後、あるいは上記ステップＢ０６で正しくデコードすることができず、契約情報の受信動作を完了しないままに１５分間が経過したと判断した場合のいずれであっても、その結果を高周波モデム１８、同軸伝送ライン７及び双方向通信データ回線ＢＴを介して上りのデータ通信によりフロントコンピュータ４に対して通知する（ステップＢ０７）。
【００６６】
その後、動作フラグが依然「１」であるか否かにより動作期間内であるか否かを判断し（ステップＢ０８）、動作期間内であれば、次に他の放送事業者と契約するための契約情報の受信動作を続行するか否かを判断する（ステップＢ０９）。
【００６７】
ここでは、まだ有料番組２を視聴するための契約情報の受信動作が必要であるので、制御部１７はその有料番組２の選局情報をデジタル放送受信部１２に伝送して、上記ステップＢ０４からの処理を同様に実行する。
【００６８】
こうして有料番組２の契約情報の受信動作を実行するべく上記と同様にステップＢ０４〜Ｂ０８の処理を実行し、続くステップＢ０９で今度はＮＨＫの上記文字メッセージの消去を行なうものとしてこれを判断し、ステップＢ０４で制御部１７がＮＨＫの選局情報をデジタル放送受信部１２に伝送すると、同様にステップＢ０４〜Ｂ０８の処理を繰返すことでＮＨＫの上記文字メッセージの消去を行なうための情報を取得し、Ｂ−ＣＡＳカードに記憶する。
【００６９】
このＮＨＫの文字メッセージを消去するための情報は、他の有料番組の契約情報とは異なり、その情報がＢ−ＣＡＳカードに記憶されておらずとも、ＮＨＫのデジタル放送を受信、視聴することは可能であるものの、その情報がないことで、ＮＨＫを選局した当初から所定の時間内は、映像中の所定位置にカードＩＤ等の届け出を促す文字メッセージが表示され続けるものである。
【００７０】
上記ステップＢ０４〜Ｂ０９の処理を繰返す過程で、ステップＢ０９でさらなる放送事業者と契約した有料番組等がないと判断すると、次に上記有料番組１と有料番組２の契約情報の受信動作、及びＮＨＫの文字メッセージを消去するための情報の取得する動作のうちで未完了のものがあるか否かを判断する（ステップＢ１０）。
【００７１】
ここで、１つでも未完了のものがあると判断した場合には、その動作を完了するべく再び上記ステップＢ０４からの処理を実行する。
【００７２】
また、このステップＢ１０で必要な契約情報の受信動作等をすべて完了したと判断した場合、あるいは上記ステップＢ０８でフロントコンピュータ４から動作フラグ「０」が送られてきて、動作期間を終了したと判断した場合は、デジタル放送受信装置８の電源をオフとして（ステップＢ１１）、制御部１７は以上でこの図４の処理を終了する。
【００７３】
このように、契約情報等をＢ−ＣＡＳカードに記憶設定させるための作業を、各デジタル放送受信装置８，８，‥‥の利用状況を勘案した上でフロントコンピュータ４の自動制御に基づいて効率的に実行させることが可能となり、人的なコストを最小限に抑えることができる。
【００７４】
また、特にフロントコンピュータ４は図３でその動作の開始時刻と終了時刻とを設定したように、制御対象となる各デジタル放送受信装置８，８，‥‥の稼働時間帯等を考慮した上で上記解除情報の記憶媒体への記憶設定を指示することで、例えばホテルのチェックイン時刻に合わせて契約情報等の設定動作を完了させるなど、より新しいデジタル放送の受信環境をユーザに提供することができる。
【００７５】
さらに、特にホテルや旅館などの旅客宿泊施設にあっては、チェックイン／チェックアウトの状態を利用状況としてユーザである宿泊客等が客室にいないチェックアウトの状態でデジタル放送受信装置８に装着されたＢ−ＣＡＳカードへ新たな契約情報等を記憶設定させることにより、宿泊客等に一切の迷惑をかけることなく新たなデジタル放送の受信環境を設定することができる。
【００７６】
なお、上記フロントコンピュータ４は、複数のデジタル放送受信装置８，８，‥‥と通常はポーリング処理により個別に通信を行なうものであるが、送信すべき情報に応じてはすべてのデジタル放送受信装置８，８，‥‥に対して一斉に送信を行なう一斉通信、及びグループ、フロアなどの単位で一括して送信を行なう機能を有するものとする。
【００７７】
特に本システムを新築のホテル等の施設に導入する設置期間などにおいては、上記フロントコンピュータ４とホストコンピュータ５との接続が整っていない状態、あるいは客室ＧＲ，ＧＲ，‥‥を利用するユーザ（宿泊客等）がいない状態が考えられるものであり、そのような場合にはホストコンピュータ５から各客室ＧＲ，ＧＲ，‥‥の利用状況を取得するまでもなく、一斉通信により全デジタル放送受信装置８，８，‥‥に契約情報等の受信設定を一括して行なうことが望ましい。
【００７８】
また、上記図３及び図４による動作の途中でフロントコンピュータ４側、あるいはデジタル放送受信装置８，８，‥‥側のなんらかの理由により動作を解除する必要性が生じた場合には、いずれかの側の操作により該動作を解除することができるものとする。
【００７９】
さらに、上記実施の形態では、フロントコンピュータ４は、双方向通信データ回線ＢＴ、混合器６、及び同軸伝送ライン７を介して各客室ＧＲ，ＧＲ，‥‥のデジタル放送受信装置８，８，‥‥と接続されるものとして説明したが、ホテル施設内にインターネットと接続された構内ＬＡＮが敷設されるものとし、そのＬＡＮ回線を介して各デジタル放送受信装置８，８，‥‥と接続されるものとしてもよい。
【００８０】
（第２の実施の形態）  
以下本発明を例えばホテル施設館内に設置したデジタル放送受信装置に適用した場合の第２の実施の形態について図面を参照して説明する。
【００８１】
図７は、ホテル館内のデジタル放送受信システムを経由して放送信号を受信するデジタル放送受信装置のうちの１台の構成を主として示すものである。同図で、ＢＳ・ＣＳ放送アンテナ３１で受信し、図示しないコンバータで周波数変換した中間周波信号と、地上波デジタル放送アンテナ３２で受信した信号とが混合器３３で同一周波数軸上に配列されて混合された後に、このシステムの配信網を構成する同軸伝送ライン３４を通じて、ホテル館内の各客室内に配置されたデジタル放送受信装置３５まで伝送される。
【００８２】
このデジタル放送受信装置３５は、リモコンパッド３６での操作に対応した選局動作を実行し、ここでは図示しないモニタ装置で画像及び音声を再生出力させる。
【００８３】
より詳細には、同軸伝送ライン３４から送られてきた信号が分波器４１でＢＳ・１１０°ＣＳ放送の中間周波信号と、地上波デジタル放送の受信信号とに分波され、デジタル放送受信部４２内の図示しないＢＳ・１１０°ＣＳデジタルチューナ及び地上波デジタルチューナに送られる。
【００８４】
デジタル放送受信部４２では、後述する制御部４７からの信号に基づいて、上記リモコンパッド３６での選局操作に対応したチャンネルを上記ＢＳ・１１０°ＣＳデジタルチューナまたは地上波デジタルチューナで選局し、該当するチャンネルのトランスポートストリーム（ＴＳ）を復調して出力する。
【００８５】
しかるにこのデジタル放送受信部４２内では、復調したトランスポートストリームに対し、デマルチプレクサで多重化されている映像等の情報と、個別情報のＥＭＭ情報と番組情報、制御情報のＥＣＭ情報に分離する。
【００８６】
上記分離したＥＭＭ情報をデコードして契約情報を取得し、その取得した契約情報をＣＡＳカードスロット４５に挿入される図示しないＢ−ＣＡＳカードに記憶させ、またスクランブルがかけられているＥＣＭ情報をデコードすることで、映像等の情報のデスクランブル制御を行ない、デジタル放送受信部４２内で時間的に連続した映像データとステレオ音声データとを生成し、生成した映像データを映像出力端子４３より、音声データを音声出力端子４４よりそれぞれ出力する。
【００８７】
これら映像出力端子４３及び音声出力端子４４は、このデジタル放送受信装置３５と共に客室内に設置された、上述した図示しないモニタ装置のビデオ入力端子、音声入力端子に接続され、そのモニタ装置で映像と音声が再生出力されることで、客室のユーザ（宿泊客等）がデジタル放送を視聴可能となる。
【００８８】
このデジタル放送受信装置３５は、上述した如くＣＡＳカードスロット４５を備え、Ｂ−ＣＡＳカードを挿入することでホテル管理側が設定したデジタル放送の番組、チャンネルを視聴可能となるものであるが、該ユーザがＢ−ＣＡＳカードを容易に抜き出すことができないように、ＣＡＳカードスロット４５はデジタル放送受信装置３５の外面には一切露出せず、内蔵するものとしている。
【００８９】
なお、このＢ−ＣＡＳカードには固有のマスタ鍵（Ｋｍ）が予め記憶されており、有料番組の新規契約時または契約更新時や、ＮＨＫの上記文字メッセージを消去するための情報を取得した場合に該マスタ鍵の一致を確認した上でそれら契約情報等を記憶するものとなる。
【００９０】
さらにデジタル放送受信装置３５には電話回線接続端子４６が接続される。この電話回線接続端子４６は、デジタル放送受信装置３５内の図示しないモデムと接続されるもので、デジタル放送受信装置３５内の制御に基づいて、データ放送の双方向サービスを行なう場合などにリクエスト情報等を図示しない電話回線を介して発信することも可能となっている。
【００９１】
制御部４７は、ＣＰＵとこのＣＰＵの動作プログラム等を不揮発的に記憶したＲＯＭ、及びワークメモリとして動作するＲＡＭ等から構成され、上記デジタル放送受信部４２と磁気カードリーダ・ライタ４８、及びリモコン受光部４９と接続されて、このデジタル放送受信装置３５全体の制御動作を実行する。
【００９２】
磁気カードリーダ・ライタ４８は、通常時においては、このホテルの客室を利用するユーザ（宿泊客等）が有料番組を視聴するために購入するプリペイドカードを挿入するものである。
【００９３】
上記プリペイドカードが挿入されると制御部４７は、磁気カードリーダ・ライタ４８から上記プリペイドカードに磁気的に記録された度数データ等を読込んで制御部４７内のメモリに記憶し、有料番組の視聴を許可すると共に、その料金に応じた度数を減算し、図示しないボタンが操作された時点で残りの度数等を磁気カードリーダ・ライタ４８に送出して上記プリペイドカードに書込ませ上で磁気カードリーダ・ライタ４８から排出させる。
【００９４】
なお、デジタル放送受信装置３５の導入設定時や動作変更設定時には、上記プリペイドカードに代えて各種の設定データを記憶した設定カードが磁気カードリーダ・ライタ４８に挿入されることで、新規／更新時の設定変更ができるものである。
【００９５】
リモコン受光部４９は、上記リモコンパッド３６でのキー操作に対応した赤外線変調信号を受信、復調してその操作内容を上記制御部４７へ送出する。
【００９６】
次に上記実施の形態の動作について説明する。  
上記デジタル放送受信装置３５を導入する場合、ホテルの管理者は所望の有料番組を適宜選択し、番組の放送事業者に加入契約を申し込む。これを受付けた放送事業者は番組に契約情報を多重して一定期間、または定期的に放送を行なうことになる。
【００９７】
加えて各客室内のデジタル放送受信装置３５においては、予めＣＡＳカードスロット４５にＢ−ＣＡＳカードが挿入された状態となっており、上述した如くこのＣＡＳカードスロット４５はデジタル放送受信装置３５の外面には露出していないので、客室ＧＲのユーザが容易に抜き出すようなことはできないようにされている。
【００９８】
図８は、契約情報等を上記Ｂ−ＣＡＳカードに記憶させるための受信動作を設定する、上記磁気カードリーダ・ライタ４８に挿入する設定カードＳＣであり、図８（Ａ）は当該設定カードＳＣをその表面から見た図である。同図（Ａ）中に透視する如く設定カードＳＣの裏面の磁気テープが埋設された破線部ＭＴには、図８（Ｂ）に示す各データが記憶されている。以下それら各データについて予め説明しておく。
【００９９】
「システムコード」は、カードの種別を識別するためのコードであり、この設定カードＳＣ固有のコードである。
【０１００】
「ＩＤコード」は、例えばホテル単位等で各ユーザを識別するためのコードである。
【０１０１】
契約した放送事業者の
「有料番組１」「有料番組２」及び「ＮＨＫ」は、それぞれ契約した放送事業者の有料番組とＮＨＫの選局情報からなる。
【０１０２】
「選局動作時間」は、契約した放送事業者の番組選局を何時間行なうかを指定するデータである。
【０１０３】
「動作終了時刻」は、契約した有料番組を放送する放送事業者及びＮＨＫの契約情報等を受信し、上記Ｂ−ＣＡＳカードに記憶させる受信動作の終了時刻データ、すなわちこの設定カードＳＣを挿入した日の時刻である。
【０１０４】
「動作期間（日数）」は、契約した有料放送を放送する放送事業者及びＮＨＫの契約情報等を受信し、上記Ｂ−ＣＡＳカードに記憶させる受信動作を開始してから該動作を継続する期間、すなわち設定カードＳＣを挿入した日からの日数である。
【０１０５】
「ＣＲＣ」は、冗長度符号チェック方式（Ｃｙｃｒｌｃ  Ｒｅｄｕｎｄａｎｃｙ  Ｃｈｅｃｋ）に則ってバースト誤りの検出が可能な検出データである。
【０１０６】
次に図９により各客室のデジタル放送受信装置３５側で主として制御部４７の制御により実行される、契約情報等の受信と受信した契約情報等を含むＢ−ＣＡＳカードへの記憶に要する動作の内容について説明する。
【０１０７】
なお、以下の動作では、上記図８にも示した如くＢＳデジタル放送の「有料番組１」及び「有料番組２」の視聴と「ＮＨＫ」の上記文字メッセージの消去とを可能するものとし、上記「選局動作時間」を１５分、上記「動作終了時刻」を「００：００」、上記「動作期間（日数）」を１０日として説明する。
【０１０８】
上記「動作終了時刻」と「動作期間（日数）」は、そのいずれかをデータ値により選択するものとし、「動作期間（日数）」が１０日が有効となる。また、「システムコード」の各種別データは制御部４７のＲＯＭに、「ＩＤコード」は他のカードによりデジタル放送受信装置３５に、それぞれ予め記憶されているものとする。
【０１０９】
その当初には、磁気カードリーダ・ライタ４８に磁気カードが挿入されると、磁気カードリーダ・ライタ４８はその記憶されている磁気信号を読取って制御部４７へ送出する。
【０１１０】
制御部４７は、読取ったデータが正常であることを確認した上で磁気カードリーダ・ライタ４８に対して挿入された磁気カードの排出を指示する（ステップＣ０１）。
【０１１１】
このとき制御部４７は、読取ったデータが異常であると判断した場合に、このデジタル放送受信装置３５に備えられる図示しない数桁の日字状セグメントのＬＥＤ等で構成される表示部によりエラー告知を行ない、以下の動作は行なわずにこの図９の処理を終了する。
【０１１２】
一方、磁気カードリーダ・ライタ４８に挿入された磁気カードから読取ったデータが正常であると判断した場合、制御部４７はさらにそのデータの先頭に位置するシステムコードを解析して挿入された磁気カードが設定カードＳＣであるか否かを制御部４７内のＲＯＭに記憶しているシステムコードとの一致比較により判断する（ステップＣ０２）。
【０１１３】
ここで挿入された磁気カードが設定カードＳＣではないと判断した場合、例えば通常のプリペイドカードであると判断した場合には、そのカードに対応した動作を行なうが、ここではその動作については省略し、図９の処理を終了する。
【０１１４】
また、ステップＣ０２で挿入された磁気カードが設定カードＳＣであると判断した場合には、所定の設定プログラムを起動して、読込んだデータのセットを行ない、動作を開始する（ステップＣ０３）。
【０１１５】
続いてデジタル放送受信装置３５の電源をオンさせる（ステップＣ０４）。このとき、通常であればデジタル放送受信装置３５と連動して図示しないモニタ装置の電源もオンされるが、この契約情報の受信動作時にはデジタル放送受信装置３５のみその電源をオンするものとして制御部４７が制御する。
【０１１６】
このデジタル放送受信装置３５の電源をオンにしたことにより、契約した放送事業者の有料番組１の選局情報をデジタル放送受信部４２に伝送し、デジタル放送受信部４２内のＢＳ・１１０°ＣＳデジタルチューナで当該放送を選局して受信し、デコードしたトランスポートストリームからデマルチプレクサで多重化されている映像等の情報とＥＭＭ情報とＥＣＭ情報に分離する（ステップＣ０５）。
【０１１７】
そして、分離したＥＭＭ情報を、ＣＡＳカードスロット４５に挿入されているＢ−ＣＡＳカードに記憶された固有のマスタ鍵を用いてデコードするもので、正しくデコードできたか否かにより、契約情報の受信動作を完了できるか否かを判断する（ステップＣ０６）。
【０１１８】
ここで、正しくデコードできた場合には、その契約情報を上記Ｂ−ＣＡＳカードに記憶させると共に、スクランブルされているＥＣＭ情報をデコードし、映像等の情報のデスクランブル制御を行なうことで、契約した番組の視聴が可能となり、契約情報の受信動作を完了する。
【０１１９】
一方、上記ステップＣ０６で正しくデコードできず、契約情報の受信動作が完了することができないと判断した場合には、当該動作を繰返し１５分間連続して実行していないことを確認した上で（ステップＣ０７）、再び上記ステップＣ０６からの処理に戻る。
【０１２０】
しかして、上記ステップＣ０６で正しくデコードできたと判断し、契約した番組の視聴が可能となり、契約情報の受信動作を完了した後、あるいは上記ステップＣ０７で正しくデコードすることができず、契約情報の受信動作を完了しないままに１５分間が経過したと判断した場合のいずれであっても、それらの動作を一旦終了し、次に動作期間内であるか否かを、上記「動作期間（日数）」の内容「１０日」が上記ステップＣ０３でセットされた月日時分から経過しているか否かにより判断し（ステップＣ０８）、動作期間内であれば、次に他の放送事業者と契約するための契約情報の受信動作を続行するか否かを判断する（ステップＣ０９）。
【０１２１】
ここでは、まだ有料番組２を視聴するための契約情報の受信動作が必要であるので、制御部４７はその有料番組２の選局情報をデジタル放送受信部４２に伝送して、上記ステップＣ０５からの処理を同様に実行する。
【０１２２】
こうして有料番組２の契約情報の受信動作を実行するべく上記と同様にステップＣ０５〜Ｃ０８の処理を実行し、続くステップＣ０９で今度はＮＨＫの上記文字メッセージの消去を行なうものとしてこれを判断し、ステップＣ０５で制御部４７がＮＨＫの選局情報をデジタル放送受信部４２に伝送すると、同様にステップＣ０５〜Ｃ０８の処理を繰返すことでＮＨＫの上記文字メッセージの消去を行なうための情報を取得し、Ｂ−ＣＡＳカードに記憶する。
【０１２３】
このＮＨＫの文字メッセージを消去するための情報は、他の有料番組の契約情報とは異なり、その情報がＢ−ＣＡＳカードに記憶されておらずとも、ＮＨＫのデジタル放送を受信、視聴することは可能であるものの、その情報がないことで、ＮＨＫを選局した当初から所定の時間内は、映像中の所定位置にカードＩＤ等の届け出を促す文字メッセージが表示され続けるものである。
【０１２４】
上記ステップＣ０５〜Ｃ０９の処理を繰返す過程で、ステップＣ０９でさらなる放送事業者と契約した有料番組等がないと判断すると、次に上記有料番組１と有料番組２の契約情報の受信動作、及びＮＨＫの文字メッセージを消去するための情報の取得する動作のうちで未完了のものがあるか否かを判断する（ステップＣ１０）。
【０１２５】
ここで、１つでも未完了のものがあると判断した場合には、その動作を完了するべく再び上記ステップＣ０５からの処理を実行する。
【０１２６】
また、このステップＣ１０で必要な契約情報の受信動作等をすべて完了したと判断した場合、あるいは上記ステップＣ０８で動作期間（日数）を越えたと判断した場合は、デジタル放送受信装置３５の電源をオフとして（ステップＣ１１）、制御部４７は以上でこの図９の処理を終了する。
【０１２７】
なお、上記設定カードＳＣによる「動作期間（日数）」のデータに関しては、デジタル放送受信装置３５の設置工事と有料番組の契約の申し込みタイミング等を考慮し、ホテルの管理者側が適宜設定すればよいものとする。
【０１２８】
また、上記図９に示した動作の途中でデジタル放送受信装置３５になんらかの理由により動作を解除する必要性が生じた場合には、設定カードＳＣに代えて予め用意される設定クリアカードを磁気カードリーダ・ライタ４８に挿入すればよいものとする。
【０１２９】
このように、不特定多数のユーザが利用する、多数のデジタル放送受信装置３５が設置される施設内で、なんらかの視聴制限がかけられたデジタル放送を任意に視聴するための契約情報等をＢ−ＣＡＳカードに記憶設定させるための作業を、デジタル放送受信装置３５単位で自動化して効率的に実行させることが可能となり、人的なコストをきわめて低く抑えることができる。
【０１３０】
加えて、一般のユーザが挿入するプリペイドカードに代えても設定カードＳＣを磁気カードリーダ・ライタ４８に挿入するのみで、契約情報等をＢ−ＣＡＳカードへ記憶設定する動作を開始させることができ、ホテル管理者側に必要な作業をより簡易化することができる。
【０１３１】
なお、上記第２の実施の形態では、デジタル放送受信装置３５内に磁気カードリーダ・ライタ４８を設け、プリペイドカードや設定カードＳＣ、設定クリアカードがいずれも磁気カードであるものとして説明したが、本発明はこれに限らず、カード表面に接続端子を形成したＩＣカードや、所謂「ＩＣタグ」等と称される無線動作するＩＣチップを封入した無線ＩＣカード等、他のカード状の媒体を用いるものとしてもよい。
【０１３２】
その他、本発明は上記実施の形態に限らず、その要旨を逸脱しない範囲内で種々変形して実施することが可能であるものとする。
【０１３３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１３４】
【図１】本発明の第１の実施の形態に係るシステム全体の構成を示すブロック図。
【図２】同実施の形態に係るデジタル放送受信装置の詳細な回路構成を示すブロック図。
【図３】同実施の形態に係るフロントコンピュータによる各デジタル放送受信装置に対する処理内容を示すフローチャート。
【図４】同実施の形態に係る各デジタル放送受信装置での契約情報の受信に関する処理内容を示すフローチャート。
【図５】同実施の形態に係るフロントコンピュータが記憶するテーブルの内容を例示する図。
【図６】同実施の形態に係るフロントコンピュータが記憶するテーブルの内容を例示する図。
【図７】本発明の第２の実施の形態に係る主としてデジタル放送受信装置の回路構成を示すブロック図。
【図８】同実施の形態に係る設定カードとそのカードに記憶されるデータの構造フォーマットとを例示する図。
【図９】同実施の形態に係るデジタル放送受信装置での契約情報の受信に関する処理内容を示すフローチャート。
【符号の説明】
【０１３５】
１…ＢＳ・ＣＳ放送アンテナ、２…地上波デジタル放送アンテナ、３…混合器、４…フロントコンピュータ、５…ホストコンピュータ、６…混合器、７…同軸伝送ライン、８…デジタル放送受信装置、９…モニタ、１０…リモコンパッド、１１…分波器、１２…デジタル放送受信部、１３…映像出力端子、１４…音声出力端子、１５…ＣＡＳカードスロット、１６…電話回線接続端子、１７…制御部、１８…高周波モデム、１９…リモコン受光部、３１…ＢＳ・ＣＳ放送アンテナ、３２…地上波デジタル放送アンテナ、３３…混合器、３４…同軸伝送ライン、３５…デジタル放送受信装置、３６…リモコンパッド、４１…分波器、４２…デジタル放送受信部、４３…映像出力端子、４４…音声出力端子、４５…ＣＡＳカードスロット、４６…電話回線接続端子、４７…制御部、４８…磁気カードリーダ・ライタ、４９…リモコン受光部、ＢＴ…双方向通信データ回線、ＧＲ…客室、ＳＣ…設定カード、ＴＢ…テーブル。
【図１】
2005210486.tif 000003
【図２】
2005210486.tif 000004
【図３】
2005210486.tif 000005
【図４】
2005210486.tif 000006
【図５】
2005210486.tif 000007
【図６】
2005210486.tif 000008
【図７】
2005210486.tif 000009
【図８】
2005210486.tif 000010
【図９】
2005210486.tif 000011